【手続補正書】
【提出日】平成17年1月26日(2005.1.26)
【手続補正１】
【補正対象書類名】明細書
【補正対象項目名】請求項１
【補正方法】変更
【補正の内容】
【請求項１】
三本のパイプを相互に気密に接続して、そのうちの一本のパイプを他の二本のパイプと選択的に連通または閉止するバルブ駆動装置において、二本のパイプの開口を開閉する弁体と、当該弁体を回動によって開閉操作するカム部材とを有し、当該カム部材が軸方向へ摺動自在に支持され、前記カム部材が前記回動によって所定位置に達すると前記回動に連動して前記カム部材が軸方向へ摺動し前記二本のパイプの開口を共に開状態にする機能部材を設けたことを特徴とするバルブ駆動装置。
【手続補正２】
【補正対象書類名】明細書
【補正対象項目名】請求項２
【補正方法】変更
【補正の内容】
【請求項２】
流体の流入パイプおよび流体の流出パイプが接続され、前記流入パイプを通って内部に流入した流体を前記流出パイプに導く流体流出路を設けてなる気密状の内部空間を有する本体ケースと、この本体ケース内に配設され、前記流入パイプまたは前記流出パイプに連結する複数の開口部を開閉する弁体と、前記弁体を開閉するカム部材と、このカム部材を駆動する駆動手段と、前記開口部を閉鎖する方向に前記弁体を押圧するカム部材付勢手段とを備えるバルブ駆動装置において、前記カム部材付勢手段の付勢力に抗して前記カム部材を移動させ、前記複数の開口部から関連する前記弁体を同時に離間させて、前記複数の開口部を同時に連通させるカム移動手段を前記機能部材として設けたことを特徴とする請求項１に記載のバルブ駆動装置。
【手続補正３】
【補正対象書類名】明細書
【補正対象項目名】請求項３
【補正方法】変更
【補正の内容】
【請求項３】
前記カム移動手段は、前記カム部材の駆動で前記弁体が押圧される前記付勢力で揺動し、平衡力で前記カム部材を前記付勢力と反対方向に移動させるシーソー部と、前記開口部から関連する前記弁体を同時に離間させる押動部とを有することを特徴とする請求項２に記載のバルブ駆動装置。
【手続補正４】
【補正対象書類名】明細書
【補正対象項目名】請求項７
【補正方法】変更
【補正の内容】
【請求項７】
前記カム移動手段にガイド部に係合するガイド係合部を設け、前記シーソー部の揺動方向を規制したことを特徴とする請求項６に記載のバルブ駆動装置。
【手続補正５】
【補正対象書類名】明細書
【補正対象項目名】０００１
【補正方法】変更
【補正の内容】
【０００１】
【発明の属する技術分野】
本発明はバルブ駆動装置に関する。
【手続補正６】
【補正対象書類名】明細書
【補正対象項目名】０００２
【補正方法】変更
【補正の内容】
【０００２】
【従来の技術】
従来のバルブ駆動装置には、樹脂円板弁を回動して弁口を開閉する樹脂弁型式と、スチールボールの移動で弁口を開閉するボール弁型式とがあって、a.開閉、b.閉閉、c.閉開、d.開開の４モードを行う。ところで、樹脂弁型は、樹脂円板弁を弁口に密着して回動するため、４モードの構成は容易であるが、リーク防止のために回動面を強く圧着して摺動させる構成であるから、摺動摩擦によるトルクロスが大きく、回動面の摩耗が耐用寿命に影響する。また、弁口の配置間隔や穴径を大きくすると強大な操作トルクが必要になるから、弁口の配置間隔や穴径にも制限を受ける。
【手続補正７】
【補正対象書類名】明細書
【補正対象項目名】０００６
【補正方法】変更
【補正の内容】
【０００６】
そこで本発明の目的は、簡単な構成で、a.開閉、b.閉閉、c.閉開、d.開開の４モードの作動が確実に行え、信頼性および耐久性があるバルブ駆動装置を提供することである。
【手続補正８】
【補正対象書類名】明細書
【補正対象項目名】０００７
【補正方法】変更
【補正の内容】
【０００７】
【課題を解決するための手段】
上記の目的を達成するために、本発明に係わるバルブ駆動装置は、基本的に三本のパイプを相互に気密に接続して、そのうちの一本のパイプを他の二本のパイプと選択的に連通または閉止するバルブ駆動装置において、二本のパイプの開口を開閉する弁体と、当該弁体を回動によって開閉操作するカム部材とを有し、当該カム部材が軸方向へ摺動自在に支持され、前記カム部材が前記回動によって所定位置に達すると前記回動に連動して前記カム部材が軸方向へ摺動し前記二本のパイプの開口を共に開状態にする機能部材を設けたもので、流体の流入パイプおよび流体の流出パイプが接続され、前記流入パイプを通って内部に流入した流体を前記流出パイプに導く流体流出路を設けてなる気密状の内部空間を有する本体ケースからなる。
【手続補正９】
【補正対象書類名】明細書
【補正対象項目名】０００８
【補正方法】変更
【補正の内容】
【０００８】
ここで、バルブ駆動装置は、前記本体ケース内に配設され、前記流入パイプまたは前記流出パイプに連結する複数の開口部を開閉する弁体と、前記弁体を開閉するカム部材と、このカム部材を駆動する駆動手段と、前記開口部を閉鎖する方向に前記弁体を押圧するカム部材付勢手段とを備える。
【手続補正１０】
【補正対象書類名】明細書
【補正対象項目名】００１２
【補正方法】変更
【補正の内容】
【００１２】
さらに、前記弁体は球体であって、それぞれガイド部に位置規制され、弾性部材によってそれぞれが関連する前記開口部との整合を復元する方向に付勢されている。そして、前記駆動手段は、駆動源としてモータを含み、前記カム部材と一体にモータのロータを形成し、前記本体ケースの外周にモータのステータを巻装して固定した。
【手続補正１１】
【補正対象書類名】明細書
【補正対象項目名】００１６
【補正方法】変更
【補正の内容】
【００１６】
【発明の実施の形態】
以下に、本発明に係わるバルブ駆動装置の実施の形態を図面に基づいて説明する。図１は本発明に係わるバルブ駆動装置の一実施例であって、部分断面で概略の構成を示す側面図である。バルブ駆動装置１０は、密閉された本体ケース１１に冷媒ガスが流入する流入パイプ１２および冷媒ガスが流出する流出パイプ１３ａ，１３ｂが気密に接続され、それぞれ本体ケース１１内に開口する。
【手続補正１２】
【補正対象書類名】明細書
【補正対象項目名】００３２
【補正方法】変更
【補正の内容】
【００３２】
図４はロータ２０の回動によって揺動される機能部材として第一実施例のカム移動手段１８を斜視図で示す。カム移動手段１８は、卵形カム３２と図５に斜視図で示すガイド部材１６の台座１６ｃとの間に自由な係合状態で挟装される（図６および図７参照）。カム移動手段１８の作用面１８ａの中央近傍の貫通孔１８ｂには主軸２４が緩挿され、主軸２４はさらに図５に示すガイド部材１６の中央部の透孔１６ｄを貫通する。カム移動手段１８は、前壁１８ｃから前方に延在する二股腕１８ｄの内縁がガイド係合部として、ガイド部材１６の縦壁１６ｅの外縁を摺動自在に挟持する。
【手続補正１３】
【補正対象書類名】明細書
【補正対象項目名】００３８
【補正方法】変更
【補正の内容】
【００３８】
図６および図７を参照してカム移動手段１８の作用を説明する。図６は図３（ｃ）に相当する。図７は図３（ｅ）に相当し、卵形カム３２下面の係合突起３２ｃがカム移動手段１８の斜面１８ｄに摺接してカム移動手段１８を脚端部１８ｇを支点として揺動させ、突起３６ａ，３６ｂが平衡力の反作用を卵形カム３２の端面に及ぼして、ロータ２０の波面カム３０を上方移動させて、山面３０ａと球状弁体１５ａ，１５ｂとの間に空隙を形成し、弁体押動部３５ａ，３５ｂで両方の球状弁体１５ａ，１５ｂを開口部１４ａ，１４ｂとの整合位置Ａから同時に偏倚させて、開口部１４ａ，１４ｂに（開−開）モードを形成する。
【手続補正１４】
【補正対象書類名】明細書
【補正対象項目名】００４０
【補正方法】変更
【補正の内容】
【００４０】
図７の最大回動位置Ｌeからロータ２０を反転させるとロータ２０上部の圧縮スプリング２９の付勢力を受けて、卵形カム３２下面の係合突起３２ｃはカム移動手段１８の頂部１８ｆから斜面１８ｄをロータ２０と共に下降する。ロータ２０下面の波面カム面３０の山面３０ａが球状弁体１５ｂに支えられると、係合突起３２ｃはカム移動手段１８から完全に離間する。
【手続補正１５】
【補正対象書類名】明細書
【補正対象項目名】００５０
【補正方法】変更
【補正の内容】
【００５０】
【発明の効果】
以上の説明で明らかなように、本発明に係わるバルブ駆動装置によれば、機能部材の追加によって、モード切替角度が大きくとれるようになり、部品精度や組立精度が緩和される。そして、a.開閉、b.閉閉、c.閉開、d.開開の４モードを確実に制御できる信頼性が高く耐久性のあるバルブ駆動装置を構成することができる。